(57)【特許請求の範囲】
【請求項１】
洗濯槽または脱水槽と、前記洗濯槽または脱水槽に給水する箱状の給水ノズルとを備え、前記洗濯槽または脱水槽は、その上端に設けたフランジの上面に溝を設けるとともに、前記洗濯槽または脱水槽の上部で前記上端に設けたフランジより下方の側壁と一体に給水ノズル載置部を設け、前記給水ノズル載置部には、溝部およびこの溝部の前記洗濯槽または脱水槽の内方側に段部を形成し、前記給水ノズルは、その上端に設けた上面フランジの裏面には、前記フランジの上面に設けた溝に対応するリブを設けるとともに、前記給水ノズルの底部裏面には、前記給水ノズル載置部の溝部および段部に対応する第１のリブと第２のリブを設け、前記給水ノズルは、前記洗濯槽または脱水槽に取り付けられた状態で、前記溝と前記リブとが嵌合するとともに、前記溝部には第１のリブの先端が当接し、前記段部には第２のリブの側面が当接するよう構成した洗濯機の給水装置。
【発明の詳細な説明】
【０００１】
【産業上の利用分野】
本発明は箱状の給水ノズルより洗濯槽または脱水槽に給水する洗濯機の給水装置に関するものである。
【０００２】
【従来の技術】
従来、この種の洗濯機の給水装置は、図３および図４に示すように構成していた。以下、その構成について説明する。
【０００３】
図に示すように、洗濯槽１は箱状の給水ノズル２を載置しており、この給水ノズル２より洗濯槽１または脱水槽（図示せず）に給水する。洗濯槽１のフランジ３上面に溝４を設け、給水ノズル２の上面フランジの裏面には溝４と嵌合するリブ５を設けており、溝４とリブ５の嵌合により防水性をもたせている。また、給水ノズル２には給水ノズルカバー６を上方より取り付けている。また、給水ノズル２と洗濯槽１の側壁との間には空間部７を形成している。
【０００４】
【発明が解決しようとする課題】
このような従来の構成では、図４に示すように、洗濯槽１を掃除する場合、ホース８により洗濯槽１の側壁に注水すると、圧力のある注水した水は給水ノズル２と洗濯槽１の側壁に沿って空間部７を矢印Ａの方向に上昇し、溝４とリブ５の嵌合部を越え機外へ流出するという問題を有していた。
【０００５】
その対策として、図５に示すように、給水ノズル２と洗濯槽１の側壁との間の空間部７にスポンジ９を取り付けることにより、注水した水が機外に流出しないようにしていた。そのため、スポンジ９の材料費、あるいは取り付け工数の増大によるコストの上昇をきたしていた。
【０００６】
本発明は上記課題を解決するもので、スポンジによる防水対策をすることなく、洗濯槽を掃除する際のホースにより注水した水が機外へ流出しないようにし、組立が簡単で、組立性を向上することを目的としている。
【０００７】
【課題を解決するための手段】
本発明は上記目的を達成するために、洗濯槽または脱水槽と、前記洗濯槽または脱水槽に給水する箱状の給水ノズルとを備え、前記洗濯槽または脱水槽は、その上端に設けたフランジの上面に溝を設けるとともに、前記洗濯槽または脱水槽の上部で前記上端に設けたフランジより下方の側壁と一体に給水ノズル載置部を設け、前記給水ノズル載置部には、溝部およびこの溝部の前記洗濯槽または脱水槽の内方側に段部を形成し、前記給水ノズルは、その上端に設けた上面フランジの裏面には、前記フランジの上面に設けた溝に対応するリブを設けるとともに、前記給水ノズルの底部裏面には、前記給水ノズル載置部の溝部および段部に対応する第１のリブと第２のリブを設け、前記給水ノズルは、前記洗濯槽または脱水槽に取り付けられた状態で、前記溝と前記リブとが嵌合するとともに、前記溝部には第１のリブの先端が当接し、前記段部には第２のリブの側面が当接するよう構成したことを課題解決手段としている。
【０００８】
【作用】
本発明は上記した課題解決手段により、給水ノズルを給水ノズル載置部に載置するとき、洗濯槽または脱水槽は、その上端に設けたフランジの上面に設けた溝に、給水ノズルの上端の上面フランジの裏面設けたリブを嵌合させるとともに、給水ノズルの底部裏面に設けた第１のリブの先端を給水ノズル載置部に形成した溝部に当接させ、第２のリブの側面を段部に当接させることにより、洗濯槽を掃除する際のホースより注水した水が機外へ流出するのを確実に防止することができ、さらに、組立が簡単で、組立性を向上することができる。
【０００９】
【実施例】
以下、本発明の一実施例を図１および図２を参照しながら説明する。なお、従来例と同じ構成のものは同一符号を付して説明を省略する。
【００１０】
図に示すように、給水ノズル載置部１０は、洗濯槽１１の上部に形成し、箱状の給水ノズル１２を載置している。給水ノズル載置部１０には、溝部１３とこの溝部１３の片側に形成された段部１４を設けている。一方、給水ノズル１２の裏面には、溝部１３と段部１４に対応する第１のリブ１５と第２のリブ１６とを設け、溝部１３には第１のリブ１５の先端を当接させ、段部１４は第２のリブ１６の側面を当接させる構成としている。なお、１６は給水ノズルカバーである。
【００１１】
上記構成において作用を説明すると、図２に示すように、ホース８より注水された水は、まず、段部１４と側壁を当接させている第２のリブ１６により阻止され、さらに、溝部１３に先端を当接する第１のリブ１５にも阻止されており、注水された水が機外に漏れるのを確実に防止することができる。一方、組立性においても、溝部１３および段部１４と第１のリブ１５および第２のリブ１６を嵌合させるのみでよく、簡単に組立ができる。同時に、これらを嵌合させることにより給水ノズル１２の位置決めにもなり、さらに組立性および組立の精度を向上することができる。
【００１２】
このように本実施例によれば、簡単で組立性に富み、洗濯槽を掃除する際のホースより注水した水が機外へ流出するのを確実に防止することができる。
【００１３】
なお、上記実施例では、給水ノズル載置部１０は洗濯槽１１の上部に形成しているが、脱水槽（図示せず）に設けてもよい。
【００１４】
【発明の効果】
以上のように本発明は、洗濯槽または脱水槽と、前記洗濯槽または脱水槽に給水する箱状の給水ノズルとを備え、前記洗濯槽または脱水槽は、その上端に設けたフランジの上面に溝を設けるとともに、前記洗濯槽または脱水槽の上部で前記上端に設けたフランジより下方の側壁と一体に給水ノズル載置部を設け、前記給水ノズル載置部には、溝部およびこの溝部の前記洗濯槽または脱水槽の内方側に段部を形成し、前記給水ノズルは、その上端に設けた上面フランジの裏面には、前記フランジの上面に設けた溝に対応するリブを設けるとともに、前記給水ノズルの底部裏面には、前記給水ノズル載置部の溝部および段部に対応する第１のリブと第２のリブを設け、前記給水ノズルは、前記洗濯槽または脱水槽に取り付けられた状態で、前記溝と前記リブとが嵌合するとともに、前記溝部には第１のリブの先端が当接し、前記段部には第２のリブの側面が当接するよう構成したから、洗濯槽を掃除する際のホースより注水した水が機外へ流出するのを確実に防止することができ、さらに、組立が簡単で、組立性を向上することができる。
【図面の簡単な説明】
【図１】  本発明の一実施例の洗濯機の給水装置の一部切欠した分解斜視図
【図２】  同洗濯機の給水装置の断面図
【図３】  従来の洗濯機の給水装置の一部切欠した分解斜視図
【図４】  同洗濯機の給水装置の断面図
【図５】  従来の洗濯機の給水装置の他の例の断面図
【符号の説明】
１０  給水ノズル載置部
１１  洗濯槽
１２  給水ノズル
１３  溝部
１４  段部
１５  第１のリブ
１６  第２のリブ
【図１】
0003713744.tif 000002
【図２】
0003713744.tif 000003
【図３】
0003713744.tif 000004
【図４】
0003713744.tif 000005
【図５】
0003713744.tif 000006